(57)【要約】【課題】  遊技機における制御基板を不正に制御する等の不正行為を阻止する【解決手段】  遊技を制御する電子部品、外部コネクタ５０が接続される基板コネクタ８２及びプリント配線８３を設けた制御基板８を、ケース本体１２とケース本体１２を閉塞するケース蓋体１３との間に収容するとともに、ケース蓋体１３に、基板コネクタ８２を露出させる開口部１３１を設ける。外部コネクタ５０は、基板コネクタ８２に接続されることにより、ケース蓋体１３の開口部１３１を閉塞可能な鍔部５０ｃを有する。    【選択図】  図８
2006116103.tif 000002
【特許請求の範囲】
【請求項１】
遊技を制御する電子部品、外部コネクタが接続される基板コネクタ及びプリント配線を設けた制御基板を、ケース本体と該ケース本体を閉塞するケース蓋体とから成る基板ケース内に収容するとともに、前記ケース蓋体に、前記基板コネクタを露出させる開口部を設けた遊技機における制御基板ユニットにおいて、
前記外部コネクタは、前記基板コネクタに接続されることにより、前記ケース蓋体の前記開口部を閉塞可能な鍔部を有することを特徴とする遊技機における制御基板ユニット。
【請求項２】
外部コネクタの鍔部を、ケース蓋体における開口部の口縁に嵌合させたことを特徴とする請求項１記載の遊技機における制御基板ユニット。
【請求項３】
ケース蓋体の表面における開口部の周囲に、外部コネクタの鍔部が嵌合可能な座刳り部を設けたことを特徴とする請求項１記載の遊技機における制御基板ユニット。
【請求項４】
外部コネクタの外側面を、ケース蓋体における開口部の口縁に嵌合させたことを特徴とする請求項３記載の遊技機における制御基板ユニット。
【発明の詳細な説明】
【技術分野】
【０００１】
本発明は、遊技を制御する制御基板、及び制御基板が収容される基板ケースを備えた遊技機における制御基板ユニットに関する。
【背景技術】
【０００２】
従来、スロットマシン、パチンコ機等の遊技機においては、遊技を制御するＲＯＭ等の電子部品、外部コネクタが接続される基板コネクタ及び電子部品と基板コネクタとを電気的に接続するプリント配線を設けた制御基板を遊技機内に装着し、制御基板により制御される各種遊技機器側の外部コネクタを基板コネクタに接続することにより、各種遊技機器の遊技動作を制御する電子制御方式を採用している。
【０００３】
また、制御基板は、制御基板のＲＯＭを交換する等の不正改造、ピアノ線等の不正具を遊技機内に侵入させ、制御基板を不正に制御する等の不正行為ができないように、基板コネクタのみを露出させるような形態で、透明な合成樹脂材料により形成される基板ケース内に収容される（例えば、特許文献１参照）。
【特許文献１】特開２００１−１７８９４０号公報
【発明の開示】
【発明が解決しようとする課題】
【０００４】
しかし、上述のような遊技機においては、基板コネクタを基板ケースに設けられた開口部から露出させるため、基板ケースの成形誤差、基板コネクタの取付位置のバラツキ等により基板コネクタと開口部の口縁との間に隙間が生じ、この隙間を利用して、不正具を基板ケース内に挿入し、基板コネクタの周辺部分のプリント配線をショートさせる等して、制御基板が不正に制御されるおそれがある。
【０００５】
本発明は、従来の問題に鑑み、不正具を用いて、制御基板を不正に制御する等の不正行為を確実に阻止することができるようにした遊技機における制御基板ユニットを提供することを目的とする。
【課題を解決するための手段】
【０００６】
本発明によると、上記課題は、次のようにして解決される。
（１）遊技を制御する電子部品、外部コネクタが接続される基板コネクタ及びプリント配線を設けた制御基板を、ケース本体と該ケース本体を閉塞するケース蓋体とから成る基板ケース内に収容するとともに、前記ケース蓋体に、前記基板コネクタを露出させる開口部を設けた遊技機における制御基板ユニットにおいて、前記外部コネクタは、前記基板コネクタに接続されることにより、前記ケース蓋体の前記開口部を閉塞可能な鍔部を有する。
【０００７】
（２）上記(１)項において、外部コネクタの鍔部を、ケース蓋体における開口部の口縁に嵌合させる。
【０００８】
（３）上記(１)項において、ケース蓋体の外側面における開口部の周囲に、外部コネクタの鍔部が嵌合可能な座刳り部を設ける。
【０００９】
（４）上記(３)項において、外部コネクタの外周面を、ケース蓋体における開口部の口縁に嵌合させる。
【発明の効果】
【００１０】
本発明によれば、次のような効果が奏せられる。
（ａ）請求項１記載の発明によると、外部コネクタの鍔部により、ケース蓋体の開口部が閉塞されるため、ピアノ線等の不正具を基板ケース内に侵入させ、プリント配線をショートさせる等の不正行為を確実に阻止することができる。
【００１１】
（ｂ）請求項２記載の発明によると、外部コネクタの鍔部がケース蓋体における開口部の口縁に嵌合することにより、開口部を確実に閉塞して、不正具を基板ケース内に侵入させる等の不正行為を確実に阻止することができる。
【００１２】
（ｃ）請求項３記載の発明によると、外部コネクタの鍔部が開口部の周囲に設けた座刳り部に嵌合することにより、開口部をより確実に閉塞して、不正具を基板ケース内に侵入させる等の不正行為をより確実に阻止することができる。
【００１３】
（ｄ）請求項４記載の発明によると、外部コネクタの外側面が開口部の口縁に嵌合することにより、開口部をより確実に閉塞して、不正具を基板ケース内に侵入させる等の不正行為をより確実に阻止することができる。
【発明を実施するための最良の形態】
【００１４】
以下、本発明の第１実施形態を、図１〜図１１に基づいて基づいて説明する。図１は、本発明を適用した遊技機（スロットマシン）の正面図、図２は、前扉を開けた状態の遊技機の正面図、図３は、制御基板ユニットの正面図、図４は、図３におけるＡ−Ａ線に沿う拡大縦断面図、図５は、制御基板ユニットを下方から見た斜視図、図６は、基板ケースを開けた状態の制御基板ユニットの斜視図、図７は、制御基板の斜視図、図８は、図４におけるＢ部の拡大図、図９は、基板コネクタと外部コネクタとを外した状態の図４に示すＢ部に相当する拡大図、図１０は、外部コネクタを前方から見た拡大斜視図、図１１は、外部コネクタを後方から見た拡大斜視図である。なお、以下の説明では、図１、２において紙面手前側を遊技機の「前方または表面」とし、図１、２において紙面奥側を「後方または裏面」とし、図１、２において左側を「左方」とし、図１、２において右側を「右方」とする。
【００１５】
遊技機(１)としてのスロットマシンは、正面（前面）が開口する正面視矩形の筐体(２)と、筐体(２)の左側部に上下方向を向く上下１対のヒンジ軸(４)により開閉可能に枢支された前扉(３)とを備える。
【００１６】
前扉(３)は、閉状態にあるとき、前扉(３)の裏面に設けられた上下のフックレバー(５)が筐体(２)に設けられた係合片(2a)に係合することにより、所定のキー等を使用しない限り開けられないようになっている。
【００１７】
筐体(２)内には、複数種類の図柄、数字等で構成される識別情報を変動及び停止表示可能な３個の回転リール(６)と、遊技媒体であるメダル（コインを含む）を貯留及び払出可能なホッパーユニット(７)と、後述の透明な基板ケース(14)内に遊技全体を統括的に制御する主制御基板(８)が収容されてなる制御基板ユニット(100)と、主制御基板(８)から出力される制御信号に基づいて、前扉(３)の裏面側に設けられた各種遊技情報及び演出を表示可能な液晶表示ユニット(31)、効果音を発生するスピーカ(32)、光により演出効果を盛り上げるランプ(33)等に制御信号を出力可能な副制御基板(９)と、主制御基板(８)から出力される制御信号に基づいて、各回転リール(６)を回転させるモータを駆動制御可能な回転リール制御基板(10)と、主制御基板(８)へ電力を供給する電源装置(11)が収容されている。
【００１８】
前扉(３)の前面には、液晶表示ユニット(31)に表示される遊技情報及び演出を視認可能な遊技情報表示窓(34)と、各回転リール(６)の識別情報を３こまずつ視認可能な識別情報表示窓(35)と、前扉(３)の裏面に設けられる中部基板（図示略）に表示される各種情報を視認可能な複数の情報表示窓(36)と、遊技を行うときにメダルが投入されるメダル投入口(37)と、メダルの賭数を最大限（３枚）に設定するＭＡＸベットボタン(38)と、メダルの賭数を１枚に設定する１枚ベットボタン(39)と、全ての回転リール(６)を回転させるときに操作されるスタートレバー(40)と、各回転リール(６)の回転を停止させるときに操作される３個のストップボタン(41)と、遊技を精算するときに操作される精算ボタン(42)とが設けられている。
【００１９】
なお、ＭＡＸベットボタン(38)、１枚ベットボタン(39)、スタートレバー(40)、各ストップボタン(41)及び精算ボタン(42)には、それぞれの操作を検出可能な操作検知センサ（図示略）が内蔵されている。
【００２０】
遊技機(１)の遊技は、遊技者がメダルをメダル投入口(37)に投入した後、ＭＡＸベットボタン(38)または１枚ベットボタン(39)によりメダルの賭数を設定した後、スタートレバー(40)を操作して、全ての回転リール(６)を回転させることによって開始される。なお、メダル投入口(37)に投入されたメダルは、前扉(３)の裏面側に設けられたメダルセレクタ（図示略）によりメダルの真偽が判別され、真と判別されたメダルのみがホッパーユニット(７)に誘導され、偽と判別されたメダルは前扉(３)の下部に設けられたメダル受皿(3a)に戻される。
【００２１】
回転リール(６)が回転して所定時間が経過した後、３個のストップボタン(41)を順次操作して、各回転リール(６)の回転を停止させ、停止した３個の回転リール(６)の識別情報の組み合わせにより、入賞の有無、及び賞の大小に応じたメダルの配当枚数が確定され、入賞した場合には、予め定めた入賞枚数分だけホッパーユニット(７)からメダル受皿(3a)にメダルが払い出される。
【００２２】
なお、本実施形態において、遊技機(１)を遊技媒体がメダル（コインを含む）とするスロットマシンとして説明するが、本発明は、これに特定されるものでなく、遊技機(１)を遊技媒体がパチンコ玉であるパチンコ機またはスロットマシンとしても良い。
【００２３】
制御基板ユニット(100)は、主制御基板(８)と、主制御基板(８)を収容し、主制御基板(８)の不正改造を防止するための基板ケース(14)とを備えて構成される。
【００２４】
基板ケース(14)は、主に図６に示すように、筐体(２)の後板(21)に固定される透明な合成樹脂材料により成形されるケース本体(12)と、透明な合成樹脂材料により成型されるとともに、左端部に設けられた上下の半円筒部(13a)がケース本体(12)の左端部に開閉可能に枢支され、ケース本体(12)の前面を閉塞可能なケース蓋体(13)とによって形成される。
【００２５】
主制御基板(８)におけるケース蓋体(13)に対向する前面、すなわち実装面には、図７に示すように、ＲＯＭ等の各種電子部品(81)と、副制御基板(９)、回転リール制御基板(10)、電源装置(11)、液晶表示ユニット(31)等に接続されたハーネス（図示略）の外部コネクタ(50)がそれぞれ電気的に接続される複数の基板コネクタ(82)（本実施形態においては７個）とが実装されるとともに、各種電子部品(81)と各基板コネクタ(82)とを電気的に接続する多数のプリント配線(83)が設けられている。
【００２６】
なお、各基板コネクタ(82)は、左側から、電源装置(11)から出力される電力を入力する電源入力用、副制御基板(９)へ制御信号を出力する副制御基板出力用、液晶表示ユニット(31)及び中部基板に表示信号を出力する表示出力用、各操作検知センサの操作信号を入力するスイッチ入力用、回転リール制御基板(10)に回転制御信号を出力する回転リール出力用、遊技店に据え付けられる多数の遊技機を集中管理するホールコンピュータに遊技データを出力する外部集中出力用、主制御基板(８)を検査するときに使用される検査用となっており、各基板コネクタ(82)には、それぞれに対応する外部コネクタ(50)が接続される。
【００２７】
ケース蓋体(13)は、右部上下に係合孔(13b)、また、右端部に複数の切断部(13c)を介して連結される複数（本実施形態では６個）の固定部(13d)をそれぞれ有し、係合孔(13b)にケース本体(12)に設けられた係合爪(12a)を係合させた状態で、複数の固定部(13d)のうち１個の固定部(13d)を、ワンウェイねじ（図示略）をもって、ケース本体(12)に設けられた螺合部（図示略）に締結することにより、締結された固定部(13d)に連結された切断部(13c)を切断しない限り開けられないようになっている。また、基板ケース(14)内に収容された主制御基板(８)の検査のための正式な検査によって切断部(13c)を切断した場合には、検査後、予備のワンウェイねじをもって、未使用の固定部(13d)と螺合部とを締結して、ケース蓋体(13)をケース本体(12)に対して閉じ状態に締結する。
【００２８】
ケース蓋体(13)の各基板コネクタ(82)に対応する箇所には、各基板コネクタ(82)の差込口(82a)（外部コネクタ(50)が差し込まれる口）（図９参照）をそれぞれ露出させるための開口部(131)が穿設されている。また、ケース蓋体(13)の裏面側における各開口部(131)の周囲には、図８、９に示すように、主制御基板(８)の実装面へ向けて突出し、端部が主制御基板(８)の実装面における基板コネクタ(82)の周辺に当接可能なフランジ部(131a)が設けられている。
【００２９】
主制御基板(８)は、ケース蓋体(13)の裏面側にねじ（図示略）により固定されるとともに、図４に示すように、ケース本体(12)とケース蓋体(13)との間に挾持された状態で、基板ケース(14)内に収容されようになっている。主制御基板(８)を、開口部(131)が設けられたケース蓋体(13)側に固定することにより、ケース本体(12)側に固定する場合と比較し、各基板コネクタ(82)を各開口部(131)から容易に露出させることができ、組付け作業の効率化を図ることができる。
【００３０】
なお、基板ケース(14)内へのピアノ線等の不正具の侵入を確実に阻止するためには、開口部(131)の大きさを、開口部(131)の口縁と基板コネクタ(82)の外側面との間に隙間が生じないように、各基板コネクタ(82)が嵌合し得る程度にすることが最良である。しかし、各基板コネクタ(82)の取付位置のバラツキ、各種寸法誤差等を考慮した場合には、それらを許容し得る程度に、各開口部(131)を大きさを、それぞれに対応する各基板コネクタ(82)の外観寸法より僅かに大きくするのが望ましい。
【００３１】
外部コネクタ(50)は、合成樹脂材料で成形されるとともに、図８〜１１に示すように、基板コネクタ(82)の差込口(82a)に嵌合される基部(50a)を有し、この基部(50a)の外側には、基板コネクタ(82)の外側面を包囲可能な覆い部(50b)が連設され、また、覆い部(50b)の外側面には、基部(50a)が基板コネクタ(82)の差込口(82a)に嵌合された状態（図８参照）で、ケース蓋体(13)の表面における開口部(131)の周囲に当接し、開口部(131)を閉塞可能な鍔部(50c)が一体的に設けられている。
【００３２】
外部コネクタ(50)に設けられた鍔部(50c)は、ケース蓋体(13)の開口部(131)を閉塞することにより、開口部(131)へのピアノ線等の不正具の侵入を阻止し、基板コネクタ(82)の周辺部分のプリント配線(83)をショートさせる等の不正行為を確実に阻止することができる。
【００３３】
また、外部コネクタ(50)の鍔部(50c)を、開口部(131)の開口より十分に大きくすることにより、基板コネクタ(82)と開口部(131)との間に多少の位置ずれがあっても、開口部(131)を鍔部(50c)により確実に閉塞することができる。
【００３４】
図１２は、本発明に係わる請求項２に相当する第２実施形態を示す。この第２実施形態においては、外部コネクタ(50)の鍔部(50c)を、ケース蓋体(13)における開口部(131)に口縁に嵌合可能とする。これにより、ケース蓋体(13)における開口部(131)を確実に閉塞することができ、開口部(131)への不正具の侵入をより確実に阻止することができる。
【００３５】
図１３は、本発明に係わる請求項３に相当する第３実施形態を示す。この第３実施形態においては、ケース蓋体(13)の表面における開口部(131)の周囲に、外部コネクタ(50)における鍔部(50c)の外周縁が隙間なく嵌合しうる大きさの座刳り部(132)を設け、この座刳り部(132)に、外部コネクタ(50)の鍔部(50c)を嵌合可能とする。これにより、ケース蓋体(13)における開口部(131)を確実に閉塞することができ、開口部(131)への不正具の侵入をより確実に阻止することができる。
【００３６】
図１４は、本発明に係わる請求項４に相当する第４実施形態を示す。この第４実施形態においては、ケース蓋体(13)の表面における開口部(131)の周囲に、前記第３実施形態の座刳り部(132)より深く形成した座刳り部(133)を設け、この座刳り部(133)に、外部コネクタ(50)の鍔部(50c)を隙間なく嵌合させるとともに、外部コネクタ(50)における覆い部(50b)の外側面を、開口部(131)の口縁に隙間なく嵌合させている。これにより、ケース蓋体(13)における開口部(131)をより確実に閉塞することができ、開口部(131)への不正具の侵入をより確実に阻止することができる。
【００３７】
なお、第２〜第４実施形態における鍔部(50c)は、第１実施形態と同様に、外部コネクタ(50)における覆い部(50b)の外側面に設けられる。覆い部(50b)に鍔部(50c)を設けることにより、開口部(131)の口縁と基板コネクタ(50)の外側面との間の隙間を小さくすることができ、開口部(131)への不正具の侵入をより確実に阻止することができる。
【００３８】
以上、本発明の各実施形態について説明したが、本発明の要旨を逸脱しない範囲内で、各実施形態に対して、次のような種々の変形や変更を施すことが可能である。
（ｉ）ケース蓋体(13)における開口部(131)の周囲にフランジ部(131a)を設けない構成にする。この場合には、フランジ部(131a)の端部を主制御基板(８)の実装面に当接させる代わりに、ケース蓋体(13)における開口部(131)の周辺、具体的には、主制御基板(８)に対向する側の周辺を主制御基板(８)の実装面に当接させるようにする。
（ii）第１、２、３及び４実施形態を適宜組み合わせる。
（iii）主制御基板(８)をケース本体(12)に固定する。
（iv）基板コネクタ(82)及び開口部(131)の数を適宜変更する。
（ｖ）外部コネクタ(50)の鍔部(50c)を、基部(50a)に一体的に設ける。
（vi）鍔部(50c)を、外部コネクタ(50)と別体にする。
【図面の簡単な説明】
【００３９】
【図１】本発明を適用した遊技機の正面図である。
【図２】前扉を開けた状態の遊技機の正面図である。
【図３】制御基板ユニットの正面図である。
【図４】図３におけるＡ−Ａ線に沿う拡大縦断面図である。
【図５】制御基板ユニットを下方から見た斜視図である。
【図６】基板ケースを開けた状態の制御基板ユニットの斜視図である。
【図７】制御基板の斜視図である。
【図８】第１実施形態に係わる図４に示すＢ部の拡大図である。
【図９】第１実施形態に係わる基板コネクタと外部コネクタとを外した状態の図４に示すＢ部に相当する拡大図である。
【図１０】第１実施形態に係わる外部コネクタを前方から見た拡大斜視図である。
【図１１】第１実施形態に係わる外部コネクタを後方から見た拡大斜視図である。
【図１２】第２実施形態に係わる図８と同様な部分の拡大図である。
【図１３】第３実施形態に係わる図８と同様な部分の拡大図である。
【図１４】第４実施形態に係わる図８と同様な部分の拡大図である。
【符号の説明】
【００４０】
(１)遊技機
(２)筐体
(2a)係合片
(３)前扉
(3a)メダル受皿
(４)ヒンジ軸
(５)フックレバー
(６)回転リール
(７)ホッパーユニット
(８)主制御基板（制御基板）
(９)副制御基板
(10)回転リール制御基板
(11)電源装置
(12)ケース本体
(12a)係合爪
(13)ケース蓋体
(13a)半円筒部
(13b)係合孔
(13c)切断部
(13d)固定部
(14)基板ケース
(21)後板
(31)液晶表示ユニット
(32)スピーカ
(33)ランプ
(34)遊技情報表示窓
(35)識別情報表示窓
(36)情報表示窓
(37)メダル投入口
(38)ＭＡＸベットボタン
(39)１枚ベットボタン
(40)スタートレバー
(41)ストップボタン
(42)精算ボタン
(50)外部コネクタ
(50a)基部
(50b)覆い部
(50c)鍔部
(81)電子部品
(82)基板コネクタ
(82a)差込口
(83)プリント配線
(100)制御基板ユニット
(131)開口部
(131a)フランジ部
(132)(133)座刳り部
【図１】
2006116103.tif 000003
【図２】
2006116103.tif 000004
【図３】
2006116103.tif 000005
【図４】
2006116103.tif 000006
【図５】
2006116103.tif 000007
【図６】
2006116103.tif 000008
【図７】
2006116103.tif 000009
【図８】
2006116103.tif 000010
【図９】
2006116103.tif 000011
【図１０】
2006116103.tif 000012
【図１１】
2006116103.tif 000013
【図１２】
2006116103.tif 000014
【図１３】
2006116103.tif 000015
【図１４】
2006116103.tif 000016